(57)【特許請求の範囲】
【請求項１】
プレスツール１１０（１０，１１０）であって、
アクチュエータ（２０，１２０）と、
プレス作業中に前記アクチュエータを停止させるように作動可能な作動停止装置（１２，１１２，２１２，３１２，４１２）と、を備え、
前記アクチュエータは、前記作動停止装置が作動後に、作動停止し、作動停止位置にロックされ、
作業端部（１６，１１６）に設けられ、前記プレス作業中に前記アクチュエータによって駆動されるように構成される構成ツール（１８，１１８）を備え、
前記作動停止装置は、ツールボディ（１４，１１４）に連結されたハウジング（２６）と、前記ハウジング内に受容されたラム（３２，１２６）と、を含み、
前記作動停止装置は、前記ラムと係合するトリガ（２８，１２８）を備え、
前記トリガは、前記ラムが前記アクチュエータの圧力を解放するように油圧油放出部（２４，１２４）と係合する作動停止位置まで前記ラムを作動させるように作動され、
前記ラムは、前記作動停止位置にロックされることで、前記トリガが前記ラムによって、通常作動位置まで戻ることが阻止されることを特徴とするプレスツール。
【請求項２】
前記作動停止装置は、キー（５２，１７２，２４２，３３２）によって通常作動位置にリセットされるように構成されることを特徴とする請求項１記載のプレスツール。
【請求項３】
前記作動停止装置は、前記トリガが通常作動位置まで戻ることを阻止するように作動されるときに、阻止位置へ移動可能なピン（１３８，２１６）を含むことを特徴とする請求項１記載のプレスツール。
【請求項４】
前記ピンは、ピン軸（１４０）に沿って延伸し、
前記ピンは、前記ピン軸に平行な方向に移動可能であり、
前記ピンは、前記ピンが長手軸に沿って非円筒状であるように、少なくとも一部分に沿うテーパー部（１５６）を備えることを特徴とする請求項３記載のプレスツール。
【請求項５】
前記ピンは、前端（１４２）および後端（１４４）を備え、
前記後端は、前記ピンが前記阻止位置まで移動するにつれて、前記前端へ向けて移動し、
前記テーパー部は、前記後端に近接して配置され、
前記ピンが前記阻止位置にある際に、前記テーパー部が前記トリガと整合可能であることを特徴とする請求項４記載のプレスツール。
【請求項６】
前記トリガが前記ラムを作動するように作動すると、前記トリガは、前記ピン軸に対してほぼ垂直に移動し、
前記ピンが前記阻止位置まで移動すると、前記テーパー部は前記トリガと整合し、
前記ピンが前記阻止位置にあるときに、前記トリガは前記ピン軸からより遠くで保持されることを特徴とする請求項４記載のプレスツール。
【請求項７】
前記ピンへのアクセスを防止する前記ツールボディに連結されたカバー（１２２）をさらに備え、
前記カバーは、前記トリガがリセットできるように前記ピンを前記阻止位置から移動させるために、前記ピンへのアクセスを可能とするように除去可能であることを特徴とする請求項４記載のプレスツール。
【請求項８】
前記カバーの少なくとも一部分が透明または開いた状態であり、
前記ピンが前記阻止位置にある際に目視可能であることを特徴とする請求項７記載のプレスツール。
【請求項９】
前記ピンは、ピン軸に沿って前端と後端との間を延伸し、
前記後端は、前記ピンが前記阻止位置へ移動すると、前記前端へ向けて移動可能であり、
作動後位置まで移動し、前記阻止位置からの前記ピンの後方移動を阻止するバネ作動のカム（２３０）を含み、
前記カムは、前記ピンが前記阻止位置まで移動すると同時に、前記作動後位置まで移動することを特徴とする請求項３記載のプレスツール。
【請求項１０】
前記ハウジングは、キー道が貫通する端部を含み、
前記ラムは、バイアスばねによって前記端部からほぼ離れる方向の解放方向へ付勢され、
前記ラムは、キースロットが前記キー道とほぼ整合し、
前記キー道が、前記解放方向に沿った方向へ貫通するキーを受容するように構成され、
前記キースロットが、前記ラムを前記通常作動位置まで戻すように前記キーを嵌合可能に受容するように構成されていることを特徴とする請求項５記載のプレスツール。
【発明の詳細な説明】
【技術分野】
【０００１】
本発明は、一般的にプレスツールに関し、特に、作動停止装置を備えたプレスツールに関する。
【背景技術】
【０００２】
プレスツールは、公知であり、プレス、形成、圧着、切断やその他が一以上の部品を作業する広範なアプリケーションに用いられる。例えば、プレスツールに用いられる１つの具体的なアプリケーションは、端子がワイヤ端部に圧着される圧着アプリケーションである。プレスツールとして知られるいくつかは、プレス作業の際に、油圧式作動によりプレスツールの一以上の部分を互いへ向かって駆動させるものである。油圧式プレスツールは、プレスストロークでピストンまたはアクチュエータを駆動させるように油圧油を汲み上げる油圧ポンプを含む。そのような油圧式プレスツールは、典型的には、ツールのプレス圧を解放するためのプレスストロークの任意の部分において、作業者が押すことが可能な油圧油放出ボタンを備えている。例えば、端子および／またはワイヤなどの部品がプレスツール内に不適切に配置されると、これらの部品配置を再調整または互いにこれら部品を全て除去するために、作業者にプレス作業を停止させる場合がある。加えて、プレスツールによってプレスされてはならないプレス部品をプレスツールがプレスする状態にあると、油圧油を放出することによって、作業者はプレス作業を停止し、プレスツールを後退させることが可能である。作業者の指がプレスツールの可動部品の間の圧着領域にあると、作業者は、プレス作業を停止し、プレスツールを後退させることが可能である。その他の理由によって、作業者が所望により、プレス作業を停止し、プレスツールを後退させることも可能である。
【発明の概要】
【発明が解決しようとする課題】
【０００３】
圧着アプリケーションの例として、油圧油放出ボタンが作業者によって作動されると、端子はただ部分的にワイヤに圧着されるだけであるかもしれない。加えて、油圧油放出ボタンが不注意にも作業者に押され、プレスツールの圧力を解放してしまう場合もある。プレスツールがプレスストロークを終了しないと、部分的な圧着となってしまう場合がある。作業者は、部分的な圧着状態が生じたことに気づかない場合がある。部分的な圧着からは、不適切または不十分な機械的および／または電気的接続となる場合がある。そのような端子が、最終的に設備や他の電気システムの一部分に用いられるとすると、部分的な圧着端子とワイヤとの間との不十分な機械的または電気的接続のために、当該設備および／またはシステムは、最悪故障する場合もある。いくつかの産業においては、そのような故障は許容されず、致命的である場合もある。例えば、航空宇宙業界において、航空機内の一システムが部分的に故障すると、事故につながる場合もある。このように、ある産業においては、高い品質管理基準が設けられている。ある産業または生産施設は、部分的な圧着端子を除去するように規制する規制枠が設けられている。結果として、プレスツールの油圧油放出ボタンが作動する際はいかなる時であっても、圧着される端子は除去される必要がある。いくつかの産業や生産施設は、端子が除去されたことを監督者が確認することを要求する場合もある。本発明によって解決されるべき課題は、高品質管理特性を備え、かつ、装置が作動したことも示す作動停止装置を備えるプレス装置の必要性にある。
【課題を解決するための手段】
【０００４】
課題を解決するための手段は、以下に示されるように、作業端部を備えるツールボディ、前記ツールボディによって保持されたアクチュエータ、プレス作業の間に油圧アクチュエータを停止させることが可能な作動停止装置と、を備え、前記作動停止装置が作動した後、前記アクチュエータは作動停止され、作動停止位置にロックされるプレスツールによって与えられる。作動停止装置は、キーによって通常作動位置にリセットされるように構成されてもよい。
【図面の簡単な説明】
【０００５】
【図１】図１は、一例示的な実施形態における形成された作動停止装置を備える一例示的なプレスツールを示す図である。
【図２】図２は、図１に示される作動停止装置の断面図である。
【図３】図３は、図１に示される作動停止装置が解放位置にある場合の断面図である。
【図４】図４は、別の作動停止装置を備えたプレスツールを示す図である。
【図５】図５は、図４に示す作動停止装置において、プレスツールのツールボディが取り除かれた状態の斜視図である。
【図６】図６は、図５に示される作動停止装置の部分斜視図である。
【図７】図７は、図４に示されるプレスツールのための別の作動停止装置の斜視図である。
【図８】図８は、図７に示される作動停止装置の別の面から見た斜視図である。
【図９】図９は、図４に示されるプレスツールのためのさらに別の作動停止装置の斜視図である。
【図１０】図１０は、プレスツールのためのさらに別の作動停止装置の斜視図である。
【発明を実施するための形態】
【０００６】
本発明は、以下添付の図面を参照して例示的に説明される。
【０００７】
図１は、一実施形態における形成された作動停止装置１２を備えるプレスツール１０を示す図である。プレスツール１０は、作業端部１６を備えるツールボディ１４を含む。ツール１８は、作業端部１６に備えられる。ツール１８は、プレス作業中にアクチュエータ２０によって駆動されるように構成されている。アクチュエータ２０は、ツールボディ１４によって保持され、作動スイッチ２２によって作動される。
【０００８】
例示された実施形態において、ツール１８は、端子（図示しない）をワイヤ（図示しない）に圧着するために用いられる圧着ツールとして代表される。本発明は圧着ツールに限定される意図のものではない。例示された実施形態において、アクチュエータ２０は、圧着作業中にツール１８を駆動するために使用されるピストンを駆動する油圧式ポンプなどの油圧式アクチュエータとして代表される。本発明は、油圧式駆動の油圧式アクチュエータに限定される意図のものではなく、機械式、電気式、空気圧式などで駆動されるものであってもよい。このような装置は、装置の作動を止めるおよび／または逆作動させる作動停止機構を含んでもよい。例えば、機械式駆動の装置は、装置のさらなる作動を阻止する停止機構を含んでもよい。電気式の駆動装置は、電気式に駆動される部品を停止し、および／または方向を逆転してもよい。例えば、装置内のモータが停止され、または逆作動してもよい。空気圧式駆動の装置は、排気機構を含んでもよい。例示された実施形態において、プレスツール１０は、手で保持できるほどのツールの大きさであり、作業者に保持されるように構成されるが、プレスツール１０は、卓上装置や他の態様のツールであってもよい。
【０００９】
作動停止装置１２は、ツールボディ１４によって保持される。作動停止装置１２は、プレス作業中、アクチュエータ２０の圧力を解放するように作動可能である。例えば、油圧式プレスツールにおいて、作動停止装置１２は、アクチュエータ２０と連結された油圧油放出部２４を作動させるように作動されてもよい。油圧油放出部２４は、油圧油を油圧油タンクに戻すなどのアクチュエータ２０の圧力を解放する装置、スイッチまたは部品である。作動停止装置１２が作動すると、プレス作業を停止するため、および／または、ツール１８を後退させるために油圧が解放される。
【００１０】
作動停止装置１２は、ハウジング２６およびトリガ（trigger）２８を含む。トリガ２８は、油圧油放出部２４を作動するために作動させる。例示的な実施形態において、トリガ２８は、引っ張りピンによって代表されてもよく、以下引っ張りピン２８とも称する。作動停止装置１２は、ハウジング２６から引っ張りピン２８を引き抜くことで作動する。
【００１１】
図２は、通常作動位置における作動停止装置１２の断面図である。図３は、解放位置での作動停止装置１２の断面図である。通常作動位置において、プレスツール１０（図１に示される）は、通常通り作動してもよく、ツール１８（図１に示される）プレス作業で移動してもよい。通常作動位置では、トリガ２８は、ハウジング２６に連結されている。例えば、トリガ２８は、ツールボディ１４（図１に示される）とほぼ沿うように延伸するトリガ開口３０内に受容される。解放位置において、アクチュエータ２０が作動停止し、それゆえに、プレス作業中、ツール１８を駆動する圧力を解放する。
【００１２】
作動停止装置１２は、ハウジング２６内に受容されたラム３２を含む。トリガ２８は、ラム３２を通常作業位置に係合する。例えば、トリガ２８は、ラム３２を貫通するトリガ開口３４内に受容される。トリガ開口３４は、トリガ開口３０と整合する。ラム３２は、開口状態の上部３６および閉状態の底部３８を含む。ラム３２は、ラム３２の長手軸４２に沿って延伸する開口４０を含む。ラム３２は、図２に示される通常作動位置と図３に示される作動停止位置との間を長手軸４２に沿って移動可能である。
【００１３】
例示的な実施形態において、バイアスばね４４は、開口４０内に受容され、底部３８に向かって付勢される。さらに、バイアスばね４４は、ハウジング２６の外部端部４６に向かって付勢する。作業中において、トリガ２８がハウジング２６から引き抜かれると、バイアスばね４４は、ラム３２を、外部端部４６から離れる方向に作動停止位置まで内方向へラム３２を付勢する。作動停止位置において、トリガ開口３４は、トリガ開口３０と非整合である。トリガ開口３０，３４がオフセットしていると、トリガ２８はハウジング２６と連結することができない。トリガ２８は、ラム３２が作動停止位置から通常作動位置までリセットされるときのみ、ハウジング２６と連結可能となる。
【００１４】
底部３８は、底部３８から延伸する傾斜部（指部）４８を含む。傾斜部４８は、アクチュエータ２０を作動停止させる油圧油放出部２４と係合するように構成される。例示的な実施形態において、指部４８は、油圧油放出部２４を横切るように傾斜する傾斜面５０を含む。ラム３２が作動停止位置へ移動すると、傾斜面５０は、油圧油放出部２４と係合して、アクチュエータ２０を停止するために油圧油放出部２４を作動させる。例えば、油圧油放出部２４は、通常作動位置における長手軸４２と平行に延伸するほぼ垂直な位置から油圧油放出部２４が長手軸４２に対して横に傾斜する傾斜位置まで付勢される。
【００１５】
作業時において、ラム３２は、ラム３２がハウジング２６の外部端部４６へほぼ向かって移動することで作動停止位置から通常作動位置までリセットされる。例示的な実施形態において、特殊なキー５２が、ラム３２を通常作動位置まで引っ張るために用いられる。ハウジング２６は、キー５２を受容する外部端部４６を貫通するキー道５４を含む。キー５２は、バイアスばね４４の中央を貫通し、ラム３２の底部と係合する。例示的な実施形態において、キースロット５６がキー５２を受容する底部３８に形成される。例えば、キースロット５６がねじ穴であってもよく、キー５２がキースロット５６に強固に連結されるように対応ねじであってもよい。キー５２は、作動停止装置１２の誤操作を防止するような特殊な、従来にはないツールであってもよい。このようにして、ラム３２は、必要な特殊キーなしでは通常作動位置まで戻ることができないようにされる。例示的な実施形態において、キースロット５６のねじ穴が、相補的なピッチのキーを有しないねじツールと嵌合することを防止するように特殊なピッチを有してもよい。キースロット５６のねじ穴は、左巻きのねじ穴であってもよい。一旦キー５２がキースロット５６に強固に接続されると、キー５２は、ラム３２を持ち上げるようにツールボディ１４から離れるように、トリガ開口３０，３４が整合するまで持ち上げられる。トリガ開口３０，３４が一旦整合したら、ハウジング２６内でラム３２を通常作動位置に保持させるように、トリガ２８をトリガ開口３０，３４内へ挿入してもよい。ラム３２が通常作動位置にあると、油圧油放出部２４は、通常作動位置へ戻り、アクチュエータ２０が通常に作動することが可能となる。
【００１６】
作業中に作動停止装置１２が圧力を解放するように用いられた後については、プレスツール１０を通常使用することができなくなる。ラム３２は、油圧油放出部２４を通常作動位置まで戻し、アクチュエータ２０が通常に作動することが可能となるようにリセットされる必要がある。トリガ２８を引き抜くことで、作動停止装置１２が作動したことを、作業者および他者に視覚的な指示によって訴えることができる。例示的な実施形態において、品質管理や他の理由によって、作業者がトリガ２８を置換することができなくしてもよい。例えば、作業者がキー５２を与えられないようにしてもよい。すなわち、作業者がキー５２を用いて作動停止装置１２をリセットするためには、プレスツール１０を監督者や他人から受け取らねばならない。その後、監督者や他人が、作動停止装置１２が作動される際に圧着される端子およびワイヤが適切に除去されたかを確認できる。
【００１７】
図４は、別の作動停止装置１１２を備えたプレスツール１１０を示す図である。プレスツール１１０は、作業端部１１６を備えるツールボディ１１４を含む。ツール１１８は、作業端部１１６に備えられる。作業中、ツール１１８は、アクチュエータ１２０によって駆動されるように構成される。アクチュエータ１２０は、ツールボディ１１４によって保持され、図示しない作動スイッチによって作動する。
【００１８】
例示的な実施形態において、カバー１２２は、ツールボディ１１４に連結される。以下さらに詳述すると、カバー１２２は透明、透光、または開口を有してもよいので、作動停止装置１１２の作動についての視覚的指示を可能とし、作業者が作動停止装置１１２の位置を目視することが可能となる。
【００１９】
作動停止装置１１２は、ツールボディ１１４によって保持される。作動停止装置１１２は、プレス作業中において、アクチュエータ１２０の圧力を解放するように作動可能である。例えば、作動停止装置１１２は、アクチュエータ１２０と連結した油圧油放出部１２４を作動するように作動してもよい。作動停止装置１１２が作動すると、油圧は、プレス作業を停止する、および／または、ツール１１８を戻すために解放される。
【００２０】
作動停止装置１１２は、油圧油放出部１２４を作動させるように駆動されるラム１２６を含む。作動停止装置１１２はまた、ラム１２６と作動的に連結するトリガ１２８を含む。作動停止装置１１２は、トリガ１２８が作動することでラム１２６を移動させる。例示的な実施形態において、トリガ１２８は、ツールボディ１１４に向かって押されるレバーまたはボタンによって代表され、以下レバー１２８とも称する。ラム１２６は、レバー１２８の端部とラム１２６の端部が係合するスプールを備えるピンによって代表される。作動停止装置１１２は、レバー１２８を押すことによって作動し、油圧油放出部１２４を作動させるようにラム１２６を外方へ持ち上げることで、アクチュエータ１２０の圧力を解放する。作動停止装置１１２は、ツールボディ１１４によって保持され、作動停止装置１１２の様々な部品を保持するハウジングを含んでもよい。
【００２１】
作動停止装置１１２は、他の実施形態において、作動形態が異なってもよい。例えば、トリガ１２８は、押されるのとは逆に持ち上げられてもよい。トリガ１２８は、作動停止装置１１２を作動させるために、一方向または別方向にスライドしてもよい。他の実施形態において、他の態様のトリガが、作動停止装置１１２を作動させるために用いられてもよい。さらに、ラム１２６は、油圧油放出部１２４、ラム１２６およびトリガ１２８の特有の構成に依存して、外側に引っ張られる以外にも異なる方法で作動されてもよい。
【００２２】
図５には、図４に示されるツールボディ１１４を備えたプレスツール１１０の一部および明確に除去されたプレスツールの内部部品の少なくともいくつかが示される。図５には、作動停止装置１１２のいくつかの部品が示される。トリガ１２８は、第一端１３２と第二端１３４間を長手軸１３０に沿って延伸する。トリガ１２８は支点１３６を備え、トリガ１２８は、図５に示された位置などの通常作動位置と作動後位置との間を移動可能である。例示的な実施形態において、支点１３６は、第二端１３４に近接して配置される。第二端１３４は、ラム１２６と係合する。第一端１３２は、作業者が第一端１３２を押すことで作動するように構成される。すなわち、第二端１３４を移動させるために、支点１３６を中心としてトリガ１２８を回動させる。第二端１３４が外方に移動すると、ラム１２６は、これに同期して作動停止位置まで移動する。すなわち、ラム１２６は、図４に示されるアクチュエータ１２０の圧力を解放するように油圧油放出部１２４を作動させる。トリガ１２８が作動後位置にあると、ラム１２６は、作動停止位置にある。トリガ１２８が通常作動位置にあると、ラム１２６も通常作動位置にあり、プレスツール１１０は通常通りに作動可能である。
【００２３】
作動停止装置１１２は、トリガ１２８の作動時に移動可能なバネ付勢ピン１３８を含む。ピン１３８は、図５などに図示された位置などの通常作動位置から、作動後位置にピン１３８を阻止し、トリガ１２８が通常作動位置へ戻ることを防止する阻止位置まで移動する。トリガ１２８が通常作動位置にあるとき、アクチュエータ１２０は通常に作動可能である。トリガ１２８が作動後位置にあると、アクチュエータ１２０の圧力が解放され、プレスツール１１０が作動できなくなる。
【００２４】
ピン１３８は、前端１４２と後端１４４間をピン軸１４０に沿って延伸する。バイアスばね１４６は、後端１４４でピン１３８と係合する。バイアスバネ１４６は、ピン軸１４０にほぼ沿って延伸し、ピン１３８をピン軸１４０に沿ってピン軸１４０と平行な方向に移動するように付勢する。ピン１３８は、トリガ１２８によって通常作動位置に保持される。しかしながら、トリガ１２８は、作動後位置まで作動する際に、ピン１３８が解放され、バイアスばね１４６によって阻止位置へ向けて付勢される。ピン１３８は、トリガ１２８を通常作動位置へ戻すことを可能とするように、通常作動位置までリセットすることが可能である。
【００２５】
ピン１３８は、カバー１２２に近接した位置である前端１４２に視覚指示部１４８を含む。例示的な実施形態において、視覚指示部１４８は、カバー１２２内のホール１５０に受容される。ホール１５０は、ホール１５０の外側の端部で閉じられており、プレスツール１１０の外側からピン１３８にアクセスできないようになっている。ピン１３８が阻止位置まで解放されると、視覚指示部１４８の重要部分がカバー１２２を通じて可視となるように、視覚指示部１４８は、ホール１５０内を外側へ移動する。例えば、カバー１２２は透明であってもよく、ピン１３８が着色されてもよい。その他、ピン１３８がカバー１２２の少なくともその一部を通じて可視的であるような視覚的にわかるものであってもよい。
【００２６】
ピン１３８は、視覚指示部１４８の内方向すなわち後方向にフランジ１５２を含む。フランジ１５２は、ピン１３８が通常作動位置から阻止位置まで移動する際のピン１３８の移動を制限するものとして機能する。例えば、フランジ１５２は、ピン軸１４０に沿って外側方向へのピン１３８の移動を制限するように、カバー１２２またはツールボディ１１４の一部に係合する。ピン１３８が阻止位置から通常作動位置まで戻るように移動すると、フランジ１５２もピン１３８の移動を制限することが可能である。例えば、フランジ１５２がトリガ１２８またはツールボディ１１４の一部と係合し、ピン軸１４０に沿って内方向へのピン１３８の移動を制限する。
【００２７】
ピン１３８は、主体部１５４および主体部１５４の後方にあるテーパー部１５６を含む。主体部１５４は、フランジ１５２の内方すなわち後方に配置される。主体部１５４は、通常作動位置において、トリガ１２８上にある。主体部１５４は、第一直径１５８を備える。テーパー部１５６は、第一端１６０と第二端１６２間に延伸する。第一端１６０と第二端１６２間で、テーパー部１５６に沿ってピン１３８の直径が徐々に増加する。第一端１６０におけるテーパー部１５６の直径は、第一直径１５８とほぼ同じである。テーパー部１５６は、第二端１６２に第二直径１６４を備える。第二直径１６４は、第一直径１５８よりも大きい。テーパー部１５６は、段差がつけられており、大きな直径となるように連続したリングを備えてもよい。あるいは、テーパー部１５６は、第一端１６０と第二端１６２との間に、連続表面、傾斜表面、または、角度がつけられた表面を備えてもよい。テーパー部１５６は、テーパー部１５６が平坦で、半径方向に延伸する表面を備え、単一の大きな段差であってもよい。ピン１３８の直径は、ピン１３８の第二端１６２と後端１４４間の第二直径１６４と等しくなってもよい。あるいは、ピン１３８の後端１４４の直径が第二直径１６４よりも小さくなるようにして、ピン１３８の直径が第二端１６２の後方へ向かって徐々にまたは急に減少してもよい。例えば、後端１４４の直径が第一直径１５８とほぼ等しくてもよい。
【００２８】
例示的な実施形態において、ピン１３８は、トリガ１２８によって通常作動位置に保持される。例えば、テーパー部１５６の第一端１６０は、トリガ１２８の縁１６６に突き当てられてもよい。テーパー部１５６のテーパー構成は、トリガ１２８と干渉し、バイアスばね１４６の偏倚力に打ち勝つ。しかしながら、トリガ１２８が作動し、ピン１３８から離れるように押されると、空隙がトリガ１２８とピン１３８との間に設けられ、ピン１３８を阻止位置まで移動可能とする。阻止位置において、テーパー部１５６の第二端１６２は、トリガ１２８の外側表面１６８と整合する。ピン１３８が第二端１６２においてより大きな直径であるので、トリガ１２８が通常作動位置に戻ってしまうことを阻止する。トリガ１２８は、ピン１３８がリセットされ、主体部１５４が外側表面１６８と再び整合されるまで作動後位置に保持される。
【００２９】
図６は、作動停止装置１１２の部分斜視図である。ピン１３８は、トリガ１２８によって通常作動位置に保持される。例えば、トリガ１２８の縁１６６がテーパー部１５６の第一端１６０と係合する。
【００３０】
ピン１３８が阻止位置まで移動すると、ピン１３８がカバー１２２を通じてアクセスできないように、カバー１２２は、ピン１３８へのアクセスを防止する。例示的な実施形態において、カバー１２２は図４に示されるツールボディ１１４から除去され、ピン１３８が通常作動位置までリセット可能となるようにピン１３８へアクセス可能とし、トリガ１２８が通常作動位置まで同様にリセットされてもよい。
【００３１】
例示的な実施形態において、一以上の締結具１７０がツールボディ１１４にカバー１２２を連結するために用いられてもよい。キー１７２が締結具１７０を取り外すために用いられる。キー１７２は、作動停止装置１１２が不正動作防止となるような従来にはない特有のツールであってもよい。このようにして、ピン１３８は、必要とされる特有のキー１７２がなければ通常作動位置まで戻ることができない。例示的な実施形態において、締結具１７０は、キー１７２の端部を受容する複数の側面を有する開口１７４を備える。開口１７４は、６つの側面を備え、六角形形状である。ポスト１７６は、開口１７４内に備えられるので、六角レンチなどの従来の六角形のキーツールを用いることでは締結具１７０を外すことができない。キー１７２は、ポスト１７４を受容するために、端部に開口を備えなければならない。
【００３２】
図７および図８は、図４に示されるプレスツール１１０用の別の作動停止装置２１２をそれぞれ前からおよび後ろから見た図である。作動停止装置２１２は、図５に示される作動停止装置１１２といくつかの点で同様であり、同様に作動可能である。作動停止装置１１２は、トリガ２１４およびトリガ２１４の作動により移動可能なバネ付勢ピン２１６を含む。図７に示される位置などの通常作動位置から、ピン２１６が作動後位置でトリガ２１４を阻止し、トリガ２１４が通常作動位置へ戻ることを防止する阻止位置まで、ピン２１６は移動可能である。
【００３３】
ピン２１６は、主体部２１８、および主体部２１８から後方へ延伸するテーパー部２２０を含む。ピン２１６は、ピン２１６の後端において後端フランジ２２２を含む。後端フランジ２２２は、後方テーパー部２２４を備える。テーパー部２２４は、第一端２２６および第一端２２６の後方の第二端２２８を備える。第一端２２６は、第二端２２８よりも大きな直径を有する。テーパー部２２４は、段差形成され、連続して大きくなるリングを備えてもよい。あるいは、テーパー部２２４は、連続面、斜面または角度をつけられた面であってもよい。テーパー部２２４は、平坦で、半径方向に延伸する表面を備え、単一の大きな段差であってもよい。
【００３４】
例示的な実施形態において、バネ付勢カム２３０がピン２１６の後方に備えられる。カム２３０は、ほぼＵ字形状であるが、カム２３０は他の実施形態において異なる形状であってもよい。カム２３０は、ピン２１６と係合する当接面２３２を含む。カム２３０は、矢印Ａの方向など回転軸２３４を中心として回転するように構成される。バイアスばね２３６は、回転軸２３４を中心としてカム２３０を回転させるようにカム２３０と係合する。カム２３０は、第一端２２６と近接した位置でピン２１６とはじめに係合する。トリガ２１４が作動するなどして、ピン２１６が阻止位置まで移動すると、カム２３０は、阻止位置まで回転可能となる。阻止位置において、ピン２１６の第二端２２８は、カム２３０の当接面２３２と係合する。カム２３０は、ピン２１６が後方へ移動することを阻止する。結果として、カム２３０が阻止位置にあるときには、ピン２１６が通常作動位置へリセットすることができなくなる。
【００３５】
カム２３０は、阻止位置でない位置まで回転可能であり、ピン２１６を通常作動位置へとリセット可能とする。例えば、位置決めねじ２３８は、カム２３０に近接して配置される。位置決めねじ２３８は、阻止位置から阻止位置でない位置までカム２３０を駆動するように調整されてもよい。例えば、位置決めねじ２３８は、位置決めねじ２３８が調整されると、カム２３０の肩部２４０と係合してもよい。カム２３０が阻止位置でない位置に一旦配置されると、ピン２１６がリセット可能となる。ピン２１６は、ピン２１６の前端部を後方に押すことでリセット可能である。ピン２１６は、図５に示されるピン１３８と同様の方法でカバーを通じてのみアクセス可能であってもよい。
【００３６】
キー２４２は、位置決めねじ２３８を調整するために用いられる。キー２４２は、作動停止装置２１２が不正動作防止となるような従来にはない特有のツールであってもよい。このようにして、ピン２１６は、必要とされる特有のキー２４２がなければ通常作動位置まで戻ることができない。例示的な実施形態において、位置決めねじ２３８は、図６に示される締結具１７０と同様である。他の態様の位置決めねじが別の実施形態では用いられてもよい。
【００３７】
図９は、図４に示されるプレスツール１１０用のさらに別の作動停止装置３１２の斜視図である。作動停止装置３１２は、図５に示される作動停止装置１１２といくつかの点で同様であり、同様に作動可能である。作動停止装置３１２は、トリガ３１４、およびトリガ３１４の作動により移動可能なバネ付勢ピン３１６を含む。
【００３８】
ピン３１６は、主体部３１８、および主体部３１８の後方にあるテーパー部３２０を含む。ピン３１６は、ピン３１６の前端に近接したフランジ３２２を含む。図９に示される位置などの通常作動位置から、ピン３１６が作動後位置でトリガ３１４を阻止し、トリガ３１４が通常作動位置へ戻ることを防止する阻止位置まで、ピン３１６は移動可能である。通常作動位置において、主体部３１８は、トリガ３１４と整合する。阻止位置において、テーパー部３２０の厚い部分がトリガ３１４と整合し、トリガ３１４を作動後位置に保持する。
【００３９】
例示的な実施形態において、作動停止装置３１２は、トリガ３１４を作動後位置に保持するピン３１６に加えて、第二ロック機構を含む。ジョー（jaw）３２４がトリガ３１４から延伸する。複数の歯３２６がジョー３２４に設けられる。作動停止装置３１２は、突起３３０を備える捕捉ピン３２８を含む。突起３３０は、歯３２６と係合し、トリガ３１４を捕捉ピン３２８に対して所定位置に保持する。トリガ３１４が作動後位置まで内方へ押されるので、捕捉ピン３２８は、トリガ３１４により近い方の隣り合う歯３２６に係合することになる。トリガ３１４は、捕捉ピン３２８によって所定位置に保持される。
【００４０】
キー３３２は、捕捉ピン３２８を調整するために用いられる。キー３３２は、作動停止装置３１２が不正動作防止となるような従来にはない特有のツールであってもよい。このようにして、ピン３１６は、必要とされる特有のキー３３２がなければ通常作動位置まで戻ることができない。例示的な実施形態において、捕捉ピン３２８は、図６に示される締結具１７０と同様である。他の態様の捕捉ピンが他の実施形態においては用いられてもよい。
【００４１】
図１０は、プレスツール４１０用のさらに別の作動停止装置４１２の斜視図である。プレスツール４１０は、作業端部４１６を備えるツールボディ４１４を含む。図示しないツールが作業端部４１６に備えられる。ツールは、プレス作業中、アクチュエータ４２０によって駆動されるように構成される。アクチュエータ４２０は、ツールボディ４１４によって保持され、作動スイッチすなわちトリガ４２１によって作動される。
【００４２】
例示的な実施形態において、カバー４２２は、ツールボディ４１４に連結される。カバー４２２は、図４に示されるカバー１２２と同様であってもよい。カバー４２２は、作動停止装置４１２の作動についての視覚的指示を与える。カバー４２２は、カバー４２２をツールボディ４１４に固定する不正動作防止機構を備えてもよい。
【００４３】
作動停止装置４１２は、ツールボディ４１４に保持される。作動停止装置４１２は、プレス作業中、アクチュエータ４２０の油圧を解放するように作動可能である。例示的な実施形態において、アクチュエータ４２０は、ポンプからの油圧油を受容するシリンダ４２３およびシリンダ４２３内に保持されたピストン４２５を含む。シリンダ４２３が油圧油に満たされているので、ピストン４２５は、ツールを駆動するように外側へ押される。作動停止装置４１２は、アクチュエータ４２０と連結された油圧油放出部４２４を作動させるように作動されてもよい。作動停止装置４１２が作動すると、プレス作業を停止するため、および／または、ピストン４２５を初期位置へ戻すために、油圧油がシリンダ４２３から放出すなわち排出される。作動停止装置４１２は、次の作業が実施されるまで、アクチュエータ４２０を作動させない。例示的な実施形態において、油圧油放出部は、放出を防止する放出バルブに代表されてもよい。油圧油放出部４２４は、レバー４２７に連結される。レバー４２７が作動すると、レバー４２７は、放出バルブ４２４を開位置へと付勢する。図１０には、ピストンが通常通り作動することを可能とする図１０における通常作動位置における放出バルブ４２４および作動停止装置４１２が示される。
【００４４】
作動停止装置４１２は、レバー４２７を作動させることで油圧油放出部４２４を作動させるように作動するスライド４２６を含む。作動停止装置４１２は、スライド４２６に作動可能に連結されるトリガ４２８を含む。トリガ４２８が作動するときに、スライド４２６を移動させる。例示的な実施形態において、トリガ４２８は、作業端部４１６から作動後位置を前後するツールボディ４１４に沿ってスライドされるボタンに代表される。例示的な実施形態において、トリガ４２８は、作業端部４１６から離れるようにスライドして、作動停止装置４１２を作動させ、圧力を解放する。スライド４２６は、油圧油放出部４２４のレバー４２７に係合するレバー端を備えるプレートに代表される。作動停止装置４１２は、トリガ４２８をスライドさせることによって作動され、スライド４２６を後方にスライドさせ、油圧油放出部４２４を作動させることで、アクチュエータ４２０の圧力を解放する。別の実施形態において、スライド４２６は、ツールボディ４１４の外側表面に平行である以外にも、ツールボディ４１４の内側へスライドする。例示的な実施形態において、スライド４２６は、レバー４２７を後方ではなく内側に付勢してもよい。
【００４５】
作動停止装置４１２は、スライド４２６へ向かってバイアスばね４３４でほぼ外側へ付勢されるバネ付勢ピン４３２を含む。図示しない通常作動位置から作動後位置までトリガ４２８がスライドすると、ピン４３２の先端４３６は、スライド４２６の内面４３８に沿ってスライドする。スライド４２６は、貫通する開口４４０を含む。開口４４０がピン４３２と整合すると、ピン４３２は開口４４０内へ外側に付勢される。ピン４３２は、スライド４２６が通常作動位置へ戻ることを阻止する。例えば、ピン４３２が開口４４０内に受容されると、ピン４３２がスライド４２６の前方への移動を停止させるため、トリガ４２８は、通常作動位置まで前方へ移動することができなくなる。
【００４６】
ピン４３２は、ツールボディ４１４内の開口４４２と整合する。カバー４２２は開口４４２を覆う。カバー４４２は、開口４４２へのアクセスを可能とするために取り除かれなければならない。例示的な実施形態において、図４に示されるカバー１２２と同様の方法により、カバー４２２はツールボディ４１４から取り除かれる。開口４４２を通じキー４４４または他のリセットツールを挿入し、ピン４３２を内側へ押することで、ピン４３２は通常作動位置にリセット可能である。その後、トリガ４２８およびスライド４２６は、通常作動位置までリセットされてもよい。スライド４２６が通常作動位置すなわち初期位置まで移動すると、スライド４２６がレバー４２７を前方に押してもよい。別の実施形態において、レバー４２７は、スライド４２６が通常作動位置まで戻る際に、初期位置まで戻るためのバイアス付勢されてもよい。通常作動位置において、スライド４２６の内面４３８は、ピン４３２と整合し、ピン４３２を通常作動位置に保持する。アクチュエータ４２０は、油圧油放出部４２４が通常作動位置にある際に、通常作動可能である。
【符号の説明】
【００４７】
１０，１１０・・・プレスツール
１２，１１２，２１２，３１２，４１２・・・作動停止装置
１４，１１４・・・ツールボディ
１６，１１６・・・作業端部
１８，１１８・・・ツール
２０，１２０・・・アクチュエータ
２４，１２４・・・油圧油放出部
２６・・・ハウジング
２８，１２８・・・トリガ（引き金）
３２，１２６・・・ラム
５２，１７２，２４２，３３２・・・キー
１３８，２１６ピン
１４０・・・ピン軸
１５６・・・テーパー部
【図１】
0005650203.tif 000002
【図２】
0005650203.tif 000003
【図３】
0005650203.tif 000004
【図４】
0005650203.tif 000005
【図５】
0005650203.tif 000006
【図６】
0005650203.tif 000007
【図７】
0005650203.tif 000008
【図８】
0005650203.tif 000009
【図９】
0005650203.tif 000010
【図１０】
0005650203.tif 000011